(57)【要約】【課題】  本発明は、正規ユーザが容易に使用の禁止を解除し得る記録再生装置を提案するものである。【解決手段】  所定の記録媒体にデータを記録再生する可搬型の記録再生装置において、登録された暗証情報を記憶保持する記憶保持手段と、暗証情報を入力するための入力手段と、入力手段を介して入力された暗証情報と、登録された暗証情報とを照合する照合手段と、照合手段の照合結果に基づいて、入力手段を介して入力された暗証情報と登録された暗証情報とが連続して規定数回一致しなかったときに、動作モードを所定のプロテクトモードに遷移させる一方、所定操作により当該プロテクトモードを解除する際には、記憶手段に記憶保持された登録された暗証情報を当該記憶手段から消去させる制御手段とを設けるようにした。【選択図】        図１
2006065894.tif 000002
【特許請求の範囲】
【請求項１】
所定の記録媒体にデータを記録再生する可搬型の記録再生装置において、
登録された暗証情報を記憶保持する記憶保持手段と、
暗証情報を入力するための入力手段と、
上記入力手段を介して入力された上記暗証情報と、上記登録された暗証情報とを照合する照合手段と、
上記照合手段の照合結果に基づいて、上記入力手段を介して入力された暗証情報と上記登録された暗証情報とが連続して規定数回一致しなかったときに、動作モードを所定のプロテクトモードに遷移させる一方、所定操作により当該プロテクトモードを解除する際には、上記記憶手段に記憶保持された上記登録された暗証情報を当該記憶手段から消去させる制御手段と
ことを特徴とする記録再生装置。
【請求項２】
上記登録された暗証情報が複数に分割されて分割暗証情報としてそれぞれ異なる外部記録媒体に保存され、
上記照合手段は、
上記プロテクトモードを解除する上記所定操作の結果、各上記分割暗証情報として取得した情報と、上記登録された暗証情報とを照合し、
上記制御手段は、
上記照合手段の照合結果に基づいて、上記分割暗証情報として取得した情報と上記登録された暗証情報とが一致したときに上記プロテクトモードを解除する
ことを特徴とする請求項１に記載の記録再生装置。
【請求項３】
所定の記録媒体にデータを記録再生する可搬型の記録再生装置の制御方法において、
登録された暗証情報を所定の記憶保持手段に記憶保持させる第１のステップと、
所定の入力手段を介して入力された上記暗証情報と、上記登録された暗証情報とを照合する第２のステップと、
上記照合結果に基づいて、上記入力手段を介して入力された暗証情報と上記登録された暗証情報とが連続して規定数回一致しなかったときに、動作モードを所定のプロテクトモードに遷移させる一方、所定操作により当該プロテクトモードを解除する際には、上記記憶手段に記憶保持された上記登録された暗証情報を当該記憶手段から消去させる第３のステップと
を具えることを特徴とする記録再生装置の制御方法。
【請求項４】
上記登録された暗証情報が複数に分割されて分割暗証情報としてそれぞれ異なる外部記録媒体に保存され、
上記第２のステップでは、
上記プロテクトモードを解除する上記所定操作の結果、各上記分割暗証情報として取得した情報と、上記登録された暗証情報とを照合し、
上記第３のステップでは、
上記照合手段の照合結果に基づいて、上記分割暗証情報として取得した情報と上記登録された暗証情報とが一致したときに上記プロテクトモードを解除する
ことを特徴とする請求項３に記載の記録再生装置の制御方法。
【発明の詳細な説明】
【技術分野】
【０００１】
本発明は、記録再生装置及びその制御方法に関し、例えば携帯型のオーディオ機器に適用して好適なものである。
【背景技術】
【０００２】
近年、携帯型のオーディオ機器が広く普及しており、ユーザが様々な場所においてＣＤ（Compact Disc）及びＭＤ（Mini Disc）などの各種ディスクメディアに記録されたオーディオデータに基づく音楽を楽しむことができるようになされている。
【０００３】
しかしながらこれら携帯型のオーディオ機器においては、例えば携帯電話等と異なって盗難時においてもその使用を中止することができず、そのまま盗難者がそのオーディオ機器を使用することが可能であることから、この結果盗難に遭いやすいという問題がある。
【０００４】
かかる問題を解決するための１つの方法として、かかる携帯型オーディオ機器等の小型情報機器にセキュリティ機能を実現する暗証番号を設定すると共に、所定の回数以上の不正な暗証番号の入力が行われた場合に、当該小型情報機器のシステムの起動を半永久的に中止させる方法が提案されている（例えば特許文献１参照）。
【特許文献１】特開平１０−１４９３３７号公報
【発明の開示】
【発明が解決しようとする課題】
【０００５】
しかしながらかかる特許文献１に開示された小型情報機器では、その小型情報機器の持ち主である正規ユーザが暗証番号を誤入力した場合においてもシステムの起動が中止されるという問題がある。そこで、かかる小型情報機器においては、あらかじめ登録したその小型情報機器固有で、かつ当該小型情報機器とは別のハードウエア媒体からの入力信号によって、この小型情報機器のシステムの起動の中止を解除することができるようになされている。
【０００６】
ところが正規ユーザが暗証番号を忘れた場合、上述のように小型情報機器のシステムの起動の中止を解除しただけでは、正規ユーザが当該オーディオ機器を使用するときに暗証番号を正確に入力し得ないため、小型情報機器が正規ユーザの暗証番号の誤入力によって再度使用できなくなるという問題がある。
【０００７】
本発明は以上の点を考慮してなされたもので、正規ユーザが容易に使用の禁止を解除し得る記録再生装置及びその制御方法を提案するものである。
【課題を解決するための手段】
【０００８】
かかる課題を解決するために本発明においては、所定の記録媒体にデータを記録再生する可搬型の記録再生装置において、登録された暗証情報を記憶保持する記憶保持手段と、暗証情報を入力するための入力手段と、入力手段を介して入力された暗証情報と、登録された暗証情報とを照合する照合手段と、照合手段の照合結果に基づいて、入力手段を介して入力された暗証情報と登録された暗証情報とが連続して規定数回一致しなかったときに、動作モードを所定のプロテクトモードに遷移させる一方、所定操作により当該プロテクトモードを解除する際には、記憶手段に記憶保持された登録された暗証情報を当該記憶手段から消去させる制御手段とを設けるようにした。
【０００９】
従って、正規ユーザが暗証情報を忘れた場合にも、再度プロテクトモードとなるのを有効に防止することができる。
【００１０】
また、所定の記録媒体にデータを記録再生する可搬型の記録再生装置の制御方法において、登録された暗証情報を所定の記憶保持手段に記憶保持させる第１のステップと、所定の入力手段を介して入力された暗証情報と、登録された暗証情報とを照合する第２のステップと、照合結果に基づいて、入力手段を介して入力された暗証情報と登録された暗証情報とが連続して規定数回一致しなかったときに、動作モードを所定のプロテクトモードに遷移させる一方、所定操作により当該プロテクトモードを解除する際には、記憶手段に記憶保持された登録された暗証情報を当該記憶手段から消去させる第３のステップとを設けるようにした。
【００１１】
従って、正規ユーザが暗証情報を忘れた場合にも、再度プロテクトモードとなるのを有効に防止することができる。
【発明の効果】
【００１２】
本発明によれば、データを記録する記録媒体を有し、所定の記録媒体にデータを記録再生する可搬型の記録再生装置において、登録された暗証情報を記憶保持する記憶保持手段と、暗証情報を入力するための入力手段と、入力手段を介して入力された暗証情報と、登録された暗証情報とを照合する照合手段と、照合手段の照合結果に基づいて、入力手段を介して入力された暗証情報と登録された暗証情報とが連続して規定数回一致しなかったときに、動作モードを所定のプロテクトモードに遷移させる一方、所定操作により当該プロテクトモードを解除する際には、記憶手段に記憶保持された登録された暗証情報を当該記憶手段から消去させる制御手段とを設けるようにしたことにより、正規ユーザが暗証情報を忘れた場合にも、再度プロテクトモードとなるのを有効に防止することができ、かくして正規ユーザが容易に使用の禁止を解除し得る記録再生装置を実現することができる。
【００１３】
また、所定の記録媒体にデータを記録再生する可搬型の記録再生装置の制御方法において、登録された暗証情報を所定の記憶保持手段に記憶保持させる第１のステップと、所定の入力手段を介して入力された暗証情報と、登録された暗証情報とを照合する第２のステップと、照合結果に基づいて、入力手段を介して入力された暗証情報と登録された暗証情報とが連続して規定数回一致しなかったときに、動作モードを所定のプロテクトモードに遷移させる一方、所定操作により当該プロテクトモードを解除する際には、記憶手段に記憶保持された登録された暗証情報を当該記憶手段から消去させる第３のステップとを設けるようにしたことにより、正規ユーザが暗証情報を忘れた場合にも、再度プロテクトモードとなるのを有効に防止することができ、かくして正規ユーザが容易に使用の禁止を解除し得る記録再生装置の制御方法を実現することができる。
【発明を実施するための最良の形態】
【００１４】
以下図面について、本発明の一実施の形態を詳述する。
【００１５】
（１）本実施の形態による記録再生装置の構成
図１において、１は全体として本実施の形態による記録再生装置を示し、ミニディスク（ＭＤ）方式のディスクを記録媒体として、例えばオーディオデータの記録再生を行い得るようになされている。ただし、この記録再生装置１は、既に普及している音楽用途のミニディスクのみではなく、より高密度記録を可能とし、コンピュータユースの各種データのストレージに利用できる高密度ディスク（次世代ディスクとも言う）についても対応し得るようになされている。
【００１６】
つまり本実施の形態による記録再生装置１は、外部機器（以下、パーソナルコンピュータとする）２と接続することで、当該パーソナルコンピュータ２に対する外部ストレージ機器として機能し得るようになされている。また、パーソナルコンピュータ２を介し、或いは直接ネットワークと接続できる機能を搭載するなどしてネットワーク接続することで、オーディオデータや各種データをダウンロードし、これをディスク３に記録することができるようになされている。
【００１７】
またこの記録再生装置１は、パーソナルコンピュータ２等に接続しなくとも、例えばオーディオ機器として機能する。この場合、ユーザが操作部４を操作することにより例えばオーディオ機器５やマイクロホン６等から入力された音楽等に基づくオーディオデータをディスク３に記録し、ディスク３から読み出されたオーディオデータに基づく音楽をヘッドホン７やオーディオ機器５において再生することができるようになされている。
【００１８】
さらにこの記録再生装置１には、例えばレンズ系及びＣＣＤ等からなる撮像部、撮像された画像を所定のフォーマットの画像データに変換する信号変換部及び撮像された画像や例えば動作状態、モード状態、楽曲等の名称などの文字データ、トラックナンバー、時間情報、その他の情報表示を行う表示部から構成されたカメラ／表示ブロック８が設けられている。そして、当該カメラ／表示ブロック８の撮像部で撮像された画像に基づく画像データをディスク３に記録し、またディスク３に記録された画像データに基づく画像をカメラ／表示ブロック８の表示部において再生することができるようになされている。
【００１９】
すなわち、本実施の形態による記録再生装置１は、パーソナルコンピュータ２等に接続することで汎用的なデータストレージ機器として利用でき、かつ単体でオーディオ記録再生機器やカメラ機器としても利用できる装置である。
【００２０】
なお、以下においては、パーソナルコンピュータ２の被接続機器とされてデータ記録再生がおこなわれる動作状態を「ストレージモード」、パーソナルコンピュータ２と接続されずに単体でオーディオ記録再生を行う動作状態を「オーディオモード」、カメラによる撮像及び撮像された画像の再生を行う動作状態を「カメラモード」と呼ぶこととする。
【００２１】
ここで、本実施の形態による記録再生装置１の構成の説明に先立って、この記録再生装置１が対応する、光磁気記録による次世代ディスクの概要について説明しておく。
【００２２】
まず、このような次世代ディスクは、現行のパーソナルコンピュータ２との親和性が図れるように、ファイル管理システムとしてＦＡＴ（File Allocation Table）システムを使って、オーディオデータのようなコンテンツデータを記録再生するものである。また、現行のＭＤシステムに対して、エラー訂正方式や変調方式等の改善を行うことで、データの記録容量の増大を図るとともにデータの信頼性を高めている。
【００２３】
次世代ディスクの記録再生のフォーマットとしては、現在２種類の仕様が開発されている。説明上、これらを第１の次世代ＭＤ、第２の次世代ＭＤと呼ぶこととする。
【００２４】
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術を使うことにより、線記録方向の記録密度を上げて、記録容量をより増大した仕様である。
【００２５】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１.２ｍｍであり、その中央に１１ｍｍの径のセンターホールが設けられている。カートリッジの形状は、長さ６８ｍｍ、幅７２ｍｍ、厚さ５ｍｍである。
【００２６】
第１及び第２の次世代ＭＤの仕様でも、これらディスクの形状やカートリッジの形状は、すべて同じである。リードイン領域の開始位置についても、第１及び第２の次世代ＭＤのディスクも、半径位置２９ｍｍから始まり、現行のＭＤシステムで使用されているディスクと同様である。つまり、従来のＭＤシステムとの外形上での互換性が確保されているものである。
【００２７】
トラックピッチについては、第２の次世代ＭＤでは、１.２５μｍとされ、現行のＭＤシステムのディスクを流用する第１の次世代ＭＤでは、トラックピッチは１.６μｍとされている。ビット長は、第１の次世代ＭＤが０.４４μｍ／ビットとされ、第２の次世代ＭＤが０.１６μｍ／ビットとされる。冗長度は、第１及び第２の次世代ＭＤともに、２０.５０％である。
【００２８】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００２９】
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００３０】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００３１】
光学的仕様については、第１の次世代ＭＤの仕様では、レーザ波長λが７８０ｎｍとされ、光学ヘッドの対物レンズの開口率ＮＡが０.４５とされている。第２の次世代ＭＤの仕様も同様に、レーザ波長λが７８０ｎｍとされ、光学ヘッドの開口率ＮＡが０.４５とされている。
【００３２】
また記録方式としては、第１の次世代ＭＤでは、グルーブ（ディスクの盤面上の溝）をトラックとして記録再生に用いるグルーブ記録方式が採用され、第２の次世代ＭＤではグルーブ記録方式及び磁壁移動検出（ＤＷＤＤ）方式が採用されている。
【００３３】
さらに、エラー訂正符号化方式としては、現行のＭＤシステムでは、ＡＣＩＲＣ（Advanced Cross Interleave Reed-Solomon Code）による畳み込み符号が用いられていたが、第１及び第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。このブロック完結型のエラー訂正符号を採用することにより、リンキングセクタが不要になる。ＬＤＣとＢＩＳとを組み合わせたエラー訂正方式では、バス１８トエラーが発生したときに、ＢＩＳによりエラーロケーションが検出できる。このエラーロケーションを使って、ＬＤＣコードにより、イレージャ訂正を行うことができる。
【００３４】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
【００３５】
ＡＤＩＰの仕様については、現行のＭＤシステムと同様であるが、現行のＭＤシステムでは、２３５２バイトからなるセクタを記録再生のアクセス単位としているのに対して、第１及び第２の次世代ＭＤの仕様では、６４Ｋバイトを記録再生のアクセス単位（レコーディングブロック）としている。
【００３６】
また、現行のＭＤシステムでは、エラー訂正符号としてＡＣＩＲＣと呼ばれる畳み込み符号が用いられているのに対して、第１及び第２の次世代ＭＤの仕様では、ＬＤＣとＢＩＳとを組み合わせたブロック完結型の符号が用いられている。
【００３７】
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００３８】
変調方式については、現行のＭＤシステムでは、ＥＦＭ（8 to 14 Modulation）が用いられているのに対して、第１及び第２の次世代ＭＤの仕様では、ＲＬＬ（１，７）ＰＰ（ＲＬＬ;Run Length Limited ,ＰＰ;Parity Preserve/Prohibit rmtr（repeated minimum transtion runlength））（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００３９】
また、ディスク駆動方式はＣＬＶ（Constant Linear Velocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００４０】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
【００４１】
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００４２】
これに対し磁気超解像を利用した第２の次世代ＭＤの仕様のディスクでは、更に線密度方向の高密度化が図られ、データ総記録容量は、約１Ｇバイトになる。なお、データレートは第１の次世代ＭＤでは４．４Ｍビット／秒であり、第２の次世代ＭＤでは、９．８Ｍビット／秒である。
【００４３】
図２（Ａ）は、第１の次世代ＭＤのディスクの構成を示すものである。第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。さらに、その上に保護膜が積層される。
【００４４】
第１の次世代ＭＤのディスクでは、この図２（Ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００４５】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４６】
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００４７】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００４８】
図２（Ｂ）は、第１の次世代ＭＤの仕様のディスクのレコーダブル領域の構成を示すものである。この図２（Ｂ）からも明らかなように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
【００４９】
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。このようなガードバンドが設けられるため、現行のＭＤプレーヤに第１の次世代ＭＤの仕様のディスクが装着されて、不具合が発生されることが防止される。
【００５０】
１−７ｐｐ変調によりデータが変調されて記録される領域の先頭（内周側）には、ＤＤＴ（Disc Description Table）領域と、セキュアトラックが設けられる。ＤＤＴ領域には、物理的に欠陥のあるセクタ（レコーディングブロック）に対する交替セクタ処理をするために設けられる。ＤＤＴ領域には、さらに、ディスクＩＤが記録される。ディスクＩＤは、記録媒体毎に固有の識別コードであって、例えば所定に発生された乱数に基づく。
【００５１】
また、スクラッチパッドとしての領域や、ＳＲＢ（Serial Recording Bitmap）と呼ばれる、記録したクラスタに対応したビットを「１」とするビットマップが記録される。セキュアトラックは、コンテンツの保護を図るための情報が格納される。
【００５２】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
【００５３】
ＦＡＴシステムは、汎用のパーソナルコンピュータ２で使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００５４】
このような第１の次世代ＭＤの仕様のディスクにおいて、上述のＵ−ＴＯＣ領域には、アラートトラックの開始位置の情報と、１−７ｐｐ変調でデータが変調されて記録される領域の開始位置の情報が記録されるものとなる。
【００５５】
ここで、現行のＭＤシステムのプレーヤに、上述の構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。
【００５６】
アラートトラックには、このディスクが第１の次世代ＭＤ方式で使用され、現行のＭＤシステムのプレーヤでは再生できないことを示す警告音が記録されている。この警告音から、このディスクが現行のＭＤシステムのプレーヤでは使用できないことが通知される。なお、この場合の警告音としては、「このプレーヤでは使用できません」というような言語による警告とすることができる。勿論、ブザー音とするようにしても良い。
【００５７】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上述したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００５８】
図３（Ａ）は、第２の次世代ＭＤのディスクの構成を示すものである。この場合もディスクは、透明のポリカーボネート基板上に誘電体膜、磁性膜、誘電体膜、反射膜、さらにその上層に保護膜を積層してなる。
【００５９】
そして、第２の次世代ＭＤのディスクの場合では、図示するようにディスクの内周のリードイン領域には、ＡＤＩＰ信号により、コントロール情報が記録されるものとなる。
【００６０】
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００６１】
あるディスクが第１の次世代ＭＤであるか第２の次世代ＭＤであるかは、リードインの情報から判断できる。すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
【００６２】
なお第１及び第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００６３】
第２の次世代ＭＤの仕様のディスクのレコーダブル領域の構成としては、図３（Ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域及びセキュアトラックが設けられる。
【００６４】
この場合も上述のＤＤＴ領域には、物理的に欠陥のあるセクタ（レコーディングブロック）に対する交替セクタ処理を行うための領域とされる。またＤＤＴ領域には、上述したディスクＩＤが記録される。また上述したスクラッチパッド領域やＳＲＢが設けられる。さらにセキュアトラックには、この場合もコンテンツの保護を図るための情報が格納される。
【００６５】
また、１−７ｐｐ変調でデータが変調されて記録される領域には、ＦＡＴ領域も設けられる。ＦＡＴ領域は、ＦＡＴシステムでデータを管理するための領域である。ＦＡＴシステムは、汎用のパーソナルコンピュータ２で使用されているＦＡＴシステムに準拠したデータ管理を行うものである。
【００６６】
そして、このような第２の次世代ＭＤのディスクにおいては、この図３（Ｂ）からも明らかなように、Ｕ−ＴＯＣ領域は設けられていない。つまり第２の次世代ＭＤのディスクについては、次世代ＭＤに準拠したプレーヤのみでの使用が想定されているものである。
【００６７】
次世代ＭＤに準拠したプレーヤでは、第２の次世代ＭＤのディスクが装着されると、所定の位置にあるＤＤＴ領域、セキュアトラック及びＦＡＴ領域が読み取られ、ＦＡＴシステムを使ってデータの管理が行われることになる。
【００６８】
このように、ＦＡＴシステムで管理され、図２（Ｂ）及び図３（Ｂ）のデータ領域に記録されるデータとしては、データファイル、トラックインフォメーションファイル（ＴＩＦ）、鍵情報ファイル、ＭＡＣリストファイルなどがある。
【００６９】
データファイルは、例えばオーディオデータやコンピュータユースのデータなどのデータファイルである。
【００７０】
またトラックインフォメーションファイル（ＴＩＦ）は、オーディオデータファイルに納められた音楽データを管理するための各種の情報が記述されたファイルである。トラックインフォメーションファイルには、楽曲の再生順を示すプレイオーダテーブル、ユーザーが指定した再生順を管理するプログラムドプレイオーダテーブル、楽曲のアルバム単位等のグループかを管理するグループインフォメーションテーブル、各トラック（楽曲）に関する情報が記述されるトラックインフォメーションテーブル、各トラックのパーツを管理するパーツインフォメーションテーブル、各トラックに付加される文字情報を管理するネームテーブルを有する。
【００７１】
さらに鍵情報ファイルは、暗号化方式における鍵のバージョン情報を示すデータが記述される。さらにＭＡＣリストファイルは、改竄チェックのためのＭＡＣ値が記述される。
【００７２】
説明を図１に戻し、本実施の形態による記録再生装置１の内部構成について説明する。
【００７３】
図１において、記録再生装置１内の本体部９は、システム全体を制御するＣＰＵ（Central Processing Unit）１０、ＲＯＭ（Read Only Memory）１１、ＲＡＭ（Random Access Memory）１２、電池が内蔵されたＮＶＲＡＭ（Non-Volatile Random Access Memory）１３、第１の暗号化／復号化部１４、メディアドライブ部１５、ＵＳＢインターフェース１６及び内部インターフェース１７がバス１８を介して相互に接続されて構成されている。
【００７４】
また内部インターフェース１７は、Ｉ／Ｏ（Input/Output）インターフェース１９、ＳＤＲＡＭ（Synchronous Dynamic Random Access Memory）インターフェース２０、コマンドインターフェース２１及びシリアルインターフェース２２から構成されている。
【００７５】
ＣＰＵ１０は、ＵＳＢインターフェース１６を介してパーソナルコンピュータ２から送信される書込み要求や読出し要求などの各種コマンド及びメニューキーや再生キー等の各種操作キーやジョグダイヤルなどの各種操作子が設けられた操作部４が操作されることにより供給される操作信号Ｓ１に基づいて各種制御処理を実行する。またＣＰＵ１０は、コマンドインターフェース２１を介してＡＴＲＡＣ（Adaptive Transform Acoustic Coding）圧縮／伸張部２３の制御処理を実行する。
【００７６】
さらにＲＯＭ１１には、ＣＰＵ１０の動作プログラムや固定パラメータ等が記憶されている。さらにＲＡＭ１２は、ＣＰＵ１０によるワーク領域として用いられ、動作プログラム等を展開し、また必要な各種情報の格納領域とされる。さらにＮＶＲＡＭ１３は、電池が内蔵されているため電源を切っても記憶された情報が保持されたまま消えない不揮発性のＲＡＭであり、各種設定情報などの格納領域とされる。
【００７７】
実際上ＣＰＵ１０は、外部のホスト機器であるパーソナルコンピュータ２と接続されたストレージモード時には、ストレージ機器としてデータ伝送のための処理を行う。
【００７８】
すなわちＣＰＵ１０は、パーソナルコンピュータ２から送信されるオーディオデータや各種データの書込み要求をＵＳＢインターフェース１６を介して受信すると、これに応動してパーソナルコンピュータ２に書込み許可を発行する。この結果、パーソナルコンピュータ２からオーディオデータや各種データが送受信データＤ１として送信され、これがＵＳＢインターフェース１６を介して第１の暗号化／復号化部１４に与えられる。
【００７９】
第１の暗号化／復号化部１４は、ＣＰＵ１０の制御のもとに、供給されるオーディオデータや各種データの送受信データＤ１に対して、暗号化が施されている場合には暗号解読のための復号化処理を施し、得られたオーディオデータや各種データの記録再生データＤ２をＳＤＲＡＭインターフェース２０を介してＳＤＲＡＭ２４に送出して、ＳＤＲＡＭ２４においてこれをバッファリングし、その後所定のタイミングで当該記録再生データＤ２を読み出してメディアドライブ部１５に送出する。
【００８０】
メディアドライブ部１５は、現行ＭＤと、上述した第１及び第２の次世代ＭＤとに対応しており、ＣＰＵ１０の制御のもとに、供給される記録再生データＤ２に対してＥＦＭ変調方式又は１−７ｐｐ変調方式で変調処理を施し、得られたオーディオデータや各種データの変調データＤ３をディスク３に送出する。これにより変調データＤ３がディスク３上のＣＰＵ１０に指定されたアドレス位置に記録される。
【００８１】
またＣＰＵ１０は、パーソナルコンピュータ２から送信されるオーディオデータや各種データの読出し要求をＵＳＢインターフェース１６を介して受信すると、これに応動してパーソナルコンピュータ２に読出し許可を発行する。この結果、メディアドライブ部１５は、ＣＰＵ１０の制御のもとに、ディスク３から読み出した対応する変調データＤ３をＥＦＭ復調方式又は１−７ｐｐ復調方式で復調処理を施し、得られた記録再生データＤ２をＳＤＲＡＭ２４、ＳＤＲＡＭインターフェース２０及びＵＳＢインターフェース１６を順次介して送受信データＤ１としてパーソナルコンピュータ２に送信する。
【００８２】
一方、ＣＰＵ１０は、記録再生装置１が単体でオーディオ機器として機能するオーディオモード時には、オーディオデータの記録再生処理を行う。
【００８３】
すなわちＣＰＵ１０は、操作部４が操作されて録音命令等の操作信号Ｓ１が入力されると、これに応動してＡＴＲＡＣ圧縮／伸張部２３を制御することにより、このときマイクロホン６において例えば音楽や音声等を集音し、得られたオーディオ信号Ｓ２をアナログ／ディジタルコンバータ２５において、例えばアナログ／ディジタル変換処理等の所定の信号処理を施し、得られたディジタルオーディオデータＤ４をＡＴＲＡＣ圧縮／伸張部２３に送出する。
【００８４】
またＣＰＵ１０は、操作部４が操作されて録音命令等の操作信号Ｓ１が入力されると、これに応動してＡＴＲＡＣ圧縮／伸張部２３を制御することにより、このときオーディオ機器５においてオプティカルケーブル等を介して転送された例えば音楽等のディジタルオーディオデータＤ４をＡＴＲＡＣ圧縮／伸張部２３に送出する。
【００８５】
ＡＴＲＡＣ圧縮／伸張部２３には、図示しないＡＴＲＡＣ圧縮エンコーダ／デコーダや第２の暗号化／復号化部２６が設けられており、ＣＰＵ１０の制御のもとに、供給されるディジタルオーディオデータＤ４に対して、必要に応じてＡＴＲＡＣ圧縮エンコード処理や第２の暗号化／復号化部２６において所定のアルゴリズムによる暗号化処理を施し、得られたオーディオデータ等を記録再生データＤ２としてＳＤＲＡＭインターフェース２０及びＳＤＲＡＭ２４を順次介してメディアドライブ部１５に送出する。そしてメディアドライブ部１５は、ＣＰＵ１０の制御のもとに、供給される記録再生データＤ２に対して上述と同様の処理を施し、得られたオーディオデータ等の変調データＤ３をディスク３に送出する。これにより変調データＤ３がディスク３上のＣＰＵ１０に指定されたアドレス位置に記録される。
【００８６】
さらにＣＰＵ１０は、操作部４が操作されて再生命令等の操作信号Ｓ１が入力されると、これに応動してメディアドライブ部１５を制御することにより、ディスク３から読み出した対応する変調データＤ３を上述と同様の処理を施し、得られた記録再生データＤ２をＳＤＲＡＭ２４及びＳＤＲＡＭインターフェース２０を順次介してＡＴＲＡＣ圧縮／伸張部２３に送出させる。
【００８７】
ＡＴＲＡＣ圧縮／伸張部２３は、ＣＰＵ１０の制御のもとに、供給される記録再生データＤ２に対して必要に応じてＡＴＲＡＣ伸張デコード処理や第２の暗号化／復号化部２６において暗号解読のための復号化処理を施し、得られたディジタルオーディオデータＤ５をディジタル／アナログコンバータ２７に送出する。また、ＡＴＲＡＣ圧縮／伸張部２３は、ＣＰＵ１０の制御のもとに、上述路同様の処理を施し、得られたディジタルオーディオデータＤ５をオーディオ機器５に送出する。これによりこのディジタルオーディオデータＤ５に基づく音楽がオーディオ機器５のスピーカから出力される。
【００８８】
ディジタル／アナログコンバータ２７は、供給されるディジタルオーディオデータＤ５に対してディジタル／アナログ変換処理等の所定の信号処理を施し、得られたオーディオ信号Ｓ３をヘッドホンアンプ２８を介してヘッドホン７に送出する。これによりこのオーディオ信号Ｓ３に基づく音楽がヘッドホン７から出力される。
【００８９】
他方、ＣＰＵ１０は、記録再生装置１が単体でカメラ機器として機能するカメラモード時には、画像データの記録再生処理を行う。
【００９０】
すなわちＣＰＵ１０は、操作部４が操作されて撮像命令等の操作信号Ｓ１が入力されると、これに応動してカメラ／表示ブロック８を制御することにより、撮像部において対象となる人物や風景等を撮像し、また信号処理部において所定のフォーマットへの変換処理等を施し、得られた画像データＤ６をシリアルインターフェース２２、ＳＤＲＡＭインターフェース２０及びＳＤＲＡＭ２４を順次介して記録再生データＤ２としてメディアドライブ部１５に送出する。そしてメディアドライブ部１５は、ＣＰＵ１０の制御のもとに、供給される記録再生データＤ２に対して上述と同様の処理を施し、得られた画像データＤ６の変調データＤ３をディスク３に送出する。これにより変調データＤ３がディスク３上のＣＰＵ１０に指定されたアドレス位置に記録される。
【００９１】
さらにＣＰＵ１０は、操作部４が操作されて再生命令等の操作信号Ｓ１が入力されると、これに応動してメディアドライブ部１５を制御することにより、ディスク３から読み出した対応する変調データＤ３を上述と同様の処理を施し、得られた記録再生データＤ２をＳＤＲＡＭ２４、ＳＤＲＡＭインターフェース２０及びシリアルインターフェース２２を順次介して画像データＤ６としてカメラ／表示ブロック８に送出させる。これによりこの画像データＤ６に基づく画像がカメラ／表示ブロック８の表示部に表示される。
【００９２】
（２）本実施の形態による暗証番号の登録及び認証機能
次に、この記録再生装置１における暗証番号の登録及び認証機能について説明する。
【００９３】
（２−１）本実施の形態による暗証番号の登録
この記録再生装置１においては、ユーザが操作部４において例えばメニューキーを押圧する操作を行った場合に、図４に示すようなメニュー画面ＭＥ１がカメラ／表示ブロック８の表示部の表示画面に表示される。このメニュー画面ＭＥ１には、例えば「暗証番号設定」、「音質設定」、「再生設定」及び「録音設定」の４種類の設定内容を表す項目欄が表示される。
【００９４】
そしてメニュー画面ＭＥ１では、ユーザが操作部４の例えばジョグダイヤルを回転する操作を行うことによって、上述の項目欄を順次選択させ、操作部４の例えばメニューキーを押圧する操作を行うことによって、現在選択している項目欄を選択決定できる。
【００９５】
また記録再生装置１においては、ユーザが設定内容として「暗証番号設定」を決定した場合に、図５に示すようなメニュー画面ＭＥ２が表示される。このメニュー画面ＭＥ２には、例えば「暗証番号設定」の下位層である「暗証番号登録」、「暗証番号ロック」、「暗証番号保存−ＰＣ（パーソナルコンピュータ）」、「暗証番号保存−ディスク」及び「暗証番号分割保存」の５種類の設定内容を表す項目欄が表示される。
【００９６】
そしてメニュー画面ＭＥ２では、操作部４の例えばジョグダイヤルを回転する操作を行うことによって、上述の項目欄を順次選択させ、操作部４の例えばメニューキーを押圧する操作を行うことによって、現在選択している項目欄を選択決定できるようになされている。なお、初期状態においては、暗証番号が登録されていないので、「暗証番号登録」以外の項目欄を選択決定できないようになされている。
【００９７】
さらに記録再生装置１においては、ユーザが設定内容として「暗証番号登録」を決定した場合に、図６に示すような暗証番号登録画面ＭＥ３が表示される。この暗証番号登録画面ＭＥ３には、例えばそれぞれ「０」〜「９」の数字を指定することができる第１〜第４の暗証番号数字列２８〜３１及び暗証番号登録の終了を表す終了ボタン３２等が表示される。
【００９８】
そして暗証番号登録画面ＭＥ３では、操作部４の例えばジョグダイヤルを回転する操作を行うことによって、対応する第１〜第４の暗証番号数字列２８〜３１の「０」〜「９」の数字を順次選択させ、操作部４の例えば再生ボタンを押圧する操作を行うことによって、上述の第１〜第４の暗証番号数字列２８〜３１及び終了ボタン３２を順次選択させ、終了ボタン３２の選択時に操作部４の例えばメニューキーを押圧する操作を行うことによって、現在表示している第１〜第４の暗証番号数字列２８〜３１において登録する暗証番号を決定できる。
【００９９】
そして記録再生装置１においては、ユーザが上述の設定内容として「暗証番号ロック」で決定した場合に、例えば動作モードを暗証番号による認証以外の操作を禁止する暗証番号ロックモードに遷移する。また、所定の時間操作部４で何らの操作も行なわれないときにも、動作モードを暗証番号ロックモードに遷移する。
【０１００】
このときＣＰＵ１０は、上述のような暗証番号登録時、操作部４が操作されて第１〜第４の暗証番号数字列２８〜３１の選択を行うことにより、これに応じた操作信号Ｓ１が入力されると、供給される操作信号Ｓ１に基づいて、暗証番号のデータ群をＲＡＭ１２上に展開する。
【０１０１】
またＣＰＵ１０は、操作部４が操作されて終了ボタン３２の選択決定を行うことによって、これに応じた操作信号Ｓ１が入力されると、供給される操作信号Ｓ１に基づいて、このときＲＡＭ１２上に展開された暗証番号のデータ群による暗証番号データを生成し、得られた暗証番号データを暗証番号データＤ７としてＳＤＲＡＭインターフェース２０を介してＡＴＲＡＣ圧縮／伸張部２３に送出する。なおＣＰＵ１０は、暗証番号データを暗証番号データＤ７としてＡＴＲＡＣ圧縮／伸張部２３に送出したときに、ＲＡＭ１２上に展開された暗証番号データを消去させる。
【０１０２】
ＡＴＲＡＣ圧縮／伸張部２３は、供給される暗証番号データＤ７に対して第２の暗号化／復号化部２６において所定の暗号化処理を施し、得られた暗号化された暗証番号データ（以下、これを暗号化暗証番号データと呼ぶ）を暗号化暗証番号データＤ８としてＳＤＲＡＭインターフェース２０を介してＮＶＲＡＭ１３に送出する。この結果、この暗号化暗証番号データがＮＶＲＡＭ１３に記憶保持される。
【０１０３】
さらにＣＰＵ１０は、操作部４が操作されて「暗証番号ロック」の選択決定を行うことによって、これに応じた操作信号Ｓ１が入力されると、供給される操作信号Ｓ１に基づいて、暗証番号ロックフラグを生成し、得られた暗証番号ロックフラグをＮＶＲＡＭ１３に送出する。この結果、この暗証番号ロックフラグがＮＶＲＡＭ１３に記憶保持され、これにより動作モードを暗証番号ロックモードに遷移させる。
【０１０４】
さらにＣＰＵ１０は、所定の時間操作部４で何らの操作も行なわないことによって、暗証番号ロックフラグを生成し、得られた暗証番号ロックフラグをＮＶＲＡＭ１３に送出する。この結果、この暗証番号ロックフラグがＮＶＲＡＭ１３に記憶保持され、これにより動作モードが暗証番号ロックモードに遷移する。
【０１０５】
このようにして記録再生装置１は、第１〜第４の暗証番号数字列２８〜３１の選択が行なわれ、終了ボタン３２の選択決定が行なわれたときに、暗証番号が登録されると共に、「暗証番号ロック」の選択決定が行なわれたときに、動作モードが暗証番号ロックモードに遷移する。
【０１０６】
（２−２）本実施の形態による暗証番号の認証
この記録再生装置１においては、上述のような暗証番号ロックモード時において、操作部４において例えば何らかの操作キーを押圧する操作を行うことによって、図７に示すような暗証番号認証画面ＭＥ４が表示される。この暗証番号認証画面ＭＥ４には、上述の暗証番号登録画面ＭＥ３と同様の第１〜第４の暗証番号数字列２８〜３１及び終了ボタン３２等が表示される。そして暗証番号認証画面ＭＥ４では、上述の暗証番号登録画面ＭＥ３と同様の操作を行うことによって、照合する暗証番号を決定できる。
【０１０７】
このときＣＰＵ１０は、上述のような暗証番号認証時、操作部４が操作されて第１〜第４の暗証番号数字列２８〜３１の選択を行うことにより、これに応じた操作信号Ｓ１が入力されると、供給される操作信号Ｓ１に基づいて、暗証番号のデータ群をＲＡＭ１２上に展開する。
【０１０８】
またＣＰＵ１０は、操作部４が操作されて終了ボタン３２の選択決定を行うことによって、これに応じた操作信号Ｓ１が入力されると、供給される操作信号Ｓ１に基づいて、このときＲＡＭ１２上に展開された暗証番号のデータ群による照合処理が行われる暗証番号データ（以下、これを照合暗証番号データと呼ぶ）を生成する。
【０１０９】
さらにＣＰＵ１０は、ＮＶＲＡＭ１３に記憶保持された暗号化暗証番号データ（以下、これを登録暗号化暗証番号データと呼ぶ）を暗号化暗証番号データＤ８として読み出し、当該暗号化暗証番号データＤ８をＳＤＲＡＭインターフェース２０を介してＡＴＲＡＣ圧縮／伸張部２３に送出する。
【０１１０】
ＡＴＲＡＣ圧縮／伸張部２３は、供給される暗号化暗証番号データＤ８に対して、第２の暗号化／復号化部２６において所定の復号化処理を施し、得られた登録暗証番号データを暗証番号データＤ７としてＳＤＲＡＭインターフェース２０を介してＲＡＭ１２に送出する。
【０１１１】
そしてＣＰＵ１０は、供給される登録暗証番号データとＲＡＭ１２上に展開された照合暗証番号データとをＲＡＭ１２において照合する。
【０１１２】
ここでＣＰＵ１０は、登録暗証番号データと照合暗証番号データとが一致したときには、この照合暗証番号データに基づいて認証処理を行い、ＮＶＲＡＭ１３に記憶保持された暗証番号ロックフラグを消去させることにより、暗証番号ロックモードを解除する。
【０１１３】
これに対してＣＰＵ１０は、登録暗証番号データと照合暗証番号データとが一致しないときには、ＮＶＲＡＭ１３に記憶保持された暗証番号ロックフラグを消去させずに、暗証番号ロックモードを解除しない。
【０１１４】
さらにＣＰＵ１０は、登録暗証番号データと照合暗証番号データとが例えば３回連続して一致しないときには、不正入力フラグを生成し、得られた不正入力フラグをＮＶＲＡＭ１３に送出する。この結果、この不正入力フラグがＮＶＲＡＭ１３に記憶保持され、これにより動作モードがプロテクトモードに遷移する。
【０１１５】
このようにして記録再生装置１は、登録された暗証番号と照合する暗証番号とが認証したときに、暗証番号ロックモードを解除してユーザにこの記録再生装置１を操作させるようにする一方、登録された暗証番号と照合する暗証番号とが認証しないときに、暗証番号ロックモードを解除しない。
【０１１６】
また記録再生装置１は、登録された暗証番号と照合する暗証番号とが例えば３回連続して認証しないときに、正規ユーザ以外の盗難者等による第三者の操作であるとして、例えば暗証番号の認証を含むすべての操作を禁止するプロテクトモードに切り替える。
【０１１７】
（３）本実施の形態による記録再生装置１のプロテクトモード解除機能
かかる構成に加えてこの記録再生装置１においては、正規ユーザが容易にこのプロテクトモードを解除することができるプロテクトモード解除機能が搭載されている。
【０１１８】
この場合記録再生装置１は、正規ユーザが暗証番号を登録した後、図５に示したメニュー画面ＭＥ２において、上述の設定内容として「暗証番号保存−ＰＣ」で決定した場合に、登録された暗証番号をパーソナルコンピュータ２に保存する。
【０１１９】
またこの場合記録再生装置１は、正規ユーザが暗証番号を登録した後、図５に示したメニュー画面ＭＥ２において、上述の設定内容を「暗証番号保存−ディスク」の項目に決定した場合に、登録された暗証番号をメディアドライブ部１５に装填されているディスク３に保存する。
【０１２０】
さらにこの場合記録再生装置１は、正規ユーザが暗証番号を登録した後、図５に示したメニュー画面ＭＥ２において、上述の設定内容を「暗証番号分割保存」の項目に決定した場合に、登録された暗証番号をパーソナルコンピュータ２及びメディアドライブ部１５に装填されたディスク３に分割して保存する。
【０１２１】
このときＣＰＵ１０は、操作部４が操作されて暗証番号ＰＣ保存等の操作信号Ｓ１が入力されると、供給される操作信号Ｓ１に基づいて、ＮＶＲＡＭ１３に記憶保持された登録暗号化暗証番号データを暗号化暗証番号データＤ８としてＮＶＲＡＭ１３から読み出し、これをＵＳＢインターフェース１６を介してパーソナルコンピュータ２に送信することにより、これを当該パーソナルコンピュータ２に保存させる。
【０１２２】
またＣＰＵ１０は、ＮＶＲＡＭ１３に不正入力フラグが記憶保持された場合に、パーソナルコンピュータ２に接続されると、パーソナルコンピュータ２に保存された登録暗号化暗証番号データ（以下、これをＰＣ保存暗号化暗証番号データと呼ぶ）を暗号化暗証番号データＤ８としてＵＳＢインターフェース１６を介して受信し、これをＳＤＲＡＭインターフェース２０を介してＡＴＲＡＣ圧縮／伸張部２３に送出する。
【０１２３】
ＡＴＲＡＣ圧縮／伸張部２３は、ＣＰＵ１０の制御のもとに、供給される暗号化暗証番号データＤ８に対して上述と同様の処理を施し、得られたＰＣ保存暗証番号データを暗証番号データＤ７としてＳＤＲＡＭインターフェース２０を介してＲＡＭ１２に送出する。
【０１２４】
さらにＣＰＵ１０は、ＮＶＲＡＭ１３に記憶保持された登録暗号化暗証番号データを暗号化暗証番号データＤ８としてＡＴＲＡＣ圧縮／伸張部２３に送出し、これをＡＴＲＡＣ圧縮／伸張部２３において上述と同様の処理を施し、得られた登録暗証番号データを暗証番号データＤ７としてＲＡＭ１２に送出する。
【０１２５】
そしてＣＰＵ１０は、ＲＡＭ１２において、供給されるＰＣ保存暗証番号データと登録暗証番号データとを照合する。
【０１２６】
ここでＣＰＵ１０は、ＰＣ保存暗証番号データと登録暗証番号データとが一致したときには、このＰＣ保存暗証番号データに基づいて認証処理を行い、ＮＶＲＡＭ１３に記憶保持された不正入力フラグ及び暗証番号ロックフラグを消去させることにより、プロテクトモードを解除する。
【０１２７】
またＣＰＵ１０は、ＰＣ保存暗証番号データと登録暗証番号データとが一致したときには、これらＰＣ保存暗証番号データと登録暗証番号データとを消去させることにより、記録再生装置１を暗証番号登録前の状態に戻す。
【０１２８】
これに対してＣＰＵ１０は、ＰＣ保存暗証番号データと登録暗証番号データとが一致しないときには、ＮＶＲＡＭ１３に記憶保持された不正入力フラグ及び暗証番号ロックフラグを消去させずに、プロテクトモードを解除しない。
【０１２９】
このようにして記録再生装置１は、プロテクトモード時、登録された暗証番号とパーソナルコンピュータ２に保存された暗証番号とが認証したときに、プロテクトモードを解除することにより、ユーザが当該記録再生装置１を操作することができるようにすると共に、登録された暗証番号及びパーソナルコンピュータ２に保存された暗証番号を消去することにより、当該記録再生装置１が暗証番号登録前の状態に戻る。
【０１３０】
一方、ＣＰＵ１０は、操作部４が操作されて暗証番号ＰＣ保存等の操作信号Ｓ１が入力されると、供給される操作信号Ｓ１に基づいて、ＮＶＲＡＭ１３に記憶保持された登録暗号化暗証番号データを暗号化暗証番号データＤ８としてＮＶＲＡＭ１３から読み出し、これをＳＤＲＡＭインターフェース２０及びＳＤＲＡＭ２４を順次介してメディアドライブ部１５に送出する。そしてメディアドライブ部１５は、ＣＰＵ１０の制御のもとに、供給される暗号化暗証番号データＤ８に対して上述と同様の処理を施し、得られた登録暗号化暗証番号データの変調データＤ３をディスク３上のＣＰＵ１０に指定されたアドレス位置に記録させる。
【０１３１】
またＣＰＵ１０は、ＮＶＲＡＭ１３に不正入力フラグが記憶保持された場合に、暗証番号保存ディスクが装填されると、これに応動してメディアドライブ部１５を制御することにより、ディスク３に保存された登録暗号化暗証番号データ（以下、これをディスク保存暗号化暗証番号データと呼ぶ）の変調データＤ３を上述と同様の処理を施し、得られた暗号化暗証番号データＤ８をＳＤＲＡＭ２４及びＳＤＲＡＭインターフェース２０を介してＡＴＲＡＣ圧縮／伸張部２３に送出する。
【０１３２】
ＡＴＲＡＣ圧縮／伸張部２３は、ＣＰＵ１０の制御のもとに、供給される暗号化暗証番号データＤ８に対して上述と同様の処理を施し、得られたディスク保存暗証番号データを暗証番号データＤ７としてＳＤＲＡＭインターフェース２０を介してＲＡＭ１２に送出する。
【０１３３】
さらにＣＰＵ１０は、ＮＶＲＡＭ１３に記憶保持された登録暗号化暗証番号データを暗号化暗証番号データＤ８としてＡＴＲＡＣ圧縮／伸張部２３に送出し、これをＡＴＲＡＣ圧縮／伸張部２３において上述と同様の処理を施し、得られた登録暗証番号データを暗証番号データＤ７としてＲＡＭ１２に送出する。
【０１３４】
そしてＣＰＵ１０は、ＲＡＭ１２において、供給されるディスク保存暗証番号データと登録暗証番号データとを照合する。
【０１３５】
ここでＣＰＵ１０は、ディスク保存暗証番号データと登録暗証番号データとが一致したときには、このディスク保存暗証番号データに基づいて認証処理を行い、ＮＶＲＡＭ１３に記憶保持された不正入力フラグ及び暗証番号ロックフラグを消去させることにより、プロテクトモードを解除する。
【０１３６】
またＣＰＵ１０は、ディスク保存暗証番号データと登録暗証番号データとが一致したときには、これらディスク保存暗証番号データと登録暗証番号データとを消去させることにより、記録再生装置１を暗証番号登録前の状態に戻す。
【０１３７】
これに対してＣＰＵ１０は、ディスク保存暗証番号データと登録暗証番号データとが一致しないときには、ＮＶＲＡＭ１３に記憶保持された不正入力フラグ及び暗証番号ロックフラグを消去させずに、プロテクトモードを解除しない。
【０１３８】
このようにして記録再生装置１は、プロテクトモード時、登録された暗証番号とディスク３に保存された暗証番号とが認証したときに、プロテクトモードを解除することにより、ユーザが当該記録再生装置１を操作することができるようにすると共に、登録された暗証番号及びディスク３に保存された暗証番号を消去することにより、当該記録再生装置１が暗証番号登録前の状態に戻る。
【０１３９】
他方、ＣＰＵ１０は、操作部４が操作されて暗証番号分割保存等の操作信号Ｓ１が入力されると、供給される操作信号Ｓ１に基づいて、ＮＶＲＡＭ１３に記憶保持された登録暗号化暗証番号データを分割し、分割された登録暗号化暗証番号データ（以下、これを分割暗号化暗証番号データと呼ぶ）を暗号化暗証番号データＤ８としてＮＶＲＡＭ１３から読み出し、これをＵＳＢインターフェース１６を介してパーソナルコンピュータ２に送信することにより、これを当該パーソナルコンピュータ２に保存させる。
【０１４０】
またＣＰＵ１０は、分割暗号化暗証番号データを暗号化暗証番号データＤ８としてＮＶＲＡＭ１３から読み出し、これを上述と同様の処理を施し、得られた分割暗号化暗証番号データの変調データＤ３をディスク３上のＣＰＵ１０に指定されたアドレス位置に記録させる。
【０１４１】
さらにＣＰＵ１０は、ＮＶＲＡＭ１３に不正入力フラグが記憶保持された場合に、パーソナルコンピュータ２に接続されると共に暗証番号保存ディスクが装填されると、パーソナルコンピュータ２に保存された分割暗号化暗証番号データ（以下、これをＰＣ保存分割暗号化暗証番号データと呼ぶ）及びディスク３に保存された分割暗号化暗証番号データ（以下、これをディスク保存分割暗号化暗証番号データと呼ぶ）に対してそれぞれ上述と同様の処理を施し、得られたＰＣ保存分割暗号化暗証番号データ及びディスク保存分割暗号化暗証番号データの暗号化暗証番号Ｄ７をＡＴＲＡＣ圧縮／伸張部２３に送出する。
【０１４２】
ＡＴＲＡＣ圧縮／伸張部２３は、ＣＰＵ１０の制御のもとに、供給されるＰＣ保存分割暗号化暗証番号データ及びディスク保存分割暗号化暗証番号データの暗号化暗証番号データＤ８に対して合成処理を施す。その後ＡＴＲＡＣ圧縮／伸張部２３は、ＣＰＵ１０の制御のもとに、得られた合成暗証化暗証番号データに対して第２の暗号化／復号化部２６において所定の復号化処理を施し、得られた合成暗証番号データを暗証番号データＤ７としてＳＤＲＡＭインターフェース２０を介してＲＡＭ１２に送出する。
【０１４３】
さらにＣＰＵ１０は、ＮＶＲＡＭ１３に記憶保持された登録暗号化暗証番号データを暗号化暗証番号データＤ８としてＡＴＲＡＣ圧縮／伸張部２３に送出し、これをＡＴＲＡＣ圧縮／伸張部２３において上述と同様の処理を施し、得られた登録暗証番号データを暗証番号データＤ７としてＲＡＭ１２に送出する。
【０１４４】
そしてＣＰＵ１０は、ＲＡＭ１２において、供給される合成暗証番号データと登録暗証番号データとを照合する。
【０１４５】
ここでＣＰＵ１０は、合成暗証番号データと登録暗証番号データとが一致したときには、この合成暗証番号データに基づいて認証処理を行い、ＮＶＲＡＭ１３に記憶保持された不正入力フラグ及び暗証番号ロックフラグを消去させることにより、プロテクトモードを解除する。
【０１４６】
またＣＰＵ１０は、合成暗証番号データと登録暗証番号データとが一致したときには、これら合成暗証番号データと登録暗証番号データとを消去させることにより、記録再生装置１を暗証番号登録前の状態に戻す。
【０１４７】
これに対してＣＰＵ１０は、合成暗証番号データと登録暗証番号データとが一致しないときには、ＮＶＲＡＭ１３に記憶保持された不正入力フラグ及び暗証番号ロックフラグを消去させずに、プロテクトモードを解除しない。
【０１４８】
このようにして記録再生装置１は、プロテクトモード時、登録された暗証番号とパーソナルコンピュータ２及びディスク３に分割して保存された暗証番号を合成した暗証番号とが認証したときに、プロテクトモードを解除することにより、ユーザが当該記録再生装置１を操作することができるようにすると共に、登録された暗証番号及びパーソナルコンピュータ２及びディスク３に分割して保存された暗証番号を消去することにより、当該記録再生装置１が暗証番号登録前の状態に戻る。また記録再生装置１は、暗証番号をパーソナルコンピュータ２又はディスク３に単独で保存する場合に比して暗証番号を分割して保存することから、第三者によるプロテクトモードの解除をより有効に防止することができるようになされている。
【０１４９】
（４）暗証番号登録処理手順
ここで、上述のようなＣＰＵ１０による暗証番号登録処理は、ＲＯＭ１１内に記憶保持された制御プログラムに基づき、図８に示す書込み要求応答処理手順ＲＴ１に従って行われる。
【０１５０】
すなわちＣＰＵ１０は、操作部４が操作されることにより例えばメニューキーを押圧されると、暗証番号登録処理手順ＲＴ１をステップＳＰ０において開始し、続くステップＳＰ１において図５において上述したメニュー画面ＭＥ１を表示させる。
【０１５１】
続いてＣＰＵ１０は、この後ステップＳＰ２に進んで、ユーザに「暗証番号設定」に決定されたか否かを判断する。そしてＣＰＵ１０は、このステップＳＰ２において否定結果を得るとステップＳＰ７に進み、これに対して否定結果を得るとステップＳＰ３に進んで、図６において上述したメニュー画面ＭＥ２を表示させ、ユーザに「暗証番号設定」に決定されたか否かを判断する。そしてＣＰＵ１０は、このステップＳＰ３において否定結果を得るとステップＳＰ７に進み、これに対して否定結果を得るとステップＳＰ４に進んで、図７に示すような暗証番号登録画面ＭＥ３を表示させる。
【０１５２】
続いてＣＰＵ１０は、この後ステップＳＰ５に進んで、ユーザに暗証番号が入力され、終了ボタン３２が押されたか否かを判断する。そしてＣＰＵ１０は、このステップＳＰ５においてユーザに暗証番号が入力され、終了ボタンが押されるのを待ち受け、やがてこのステップＳＰ５において肯定結果が得られるとステップＳＰ６に進んで、入力された（登録する）暗証番号をＮＶＲＡＭ１３に記憶保持させる。
【０１５３】
続いてＣＰＵ１０は、ステップＳＰ７に進んで、操作部４からの操作信号Ｓ１に基づいて、ユーザがメニュー画面操作を停止すべき操作（以下、これを停止操作と呼ぶ）を行ったか否かを判断し、否定結果を得るとステップＳＰ２に戻り、この後ステップＳＰ２〜ステップＳＰ７について同様の処理を繰り返す。そしてＣＰＵ１０は、やがてユーザが停止操作を行うことによりステップＳＰ７において肯定結果を得ると、ステップＳＰ８に進んでこの暗証番号登録処理手順ＲＴ１を終了する。
【０１５４】
（５）暗証番号認証及びプロテクトモード解除処理手順
一方、上述のようなＣＰＵ１０による暗証番号認証及びプロテクトモード解除処理は、ＲＯＭ１１内に格納された制御プログラムに基づき、暗証番号認証及びプロテクトモード解除処理手順ＲＴ２に従って行われる。
【０１５５】
すなわちＣＰＵ１０は、上述のような暗証番号ロックモード時において、ユーザが操作部４を操作することにより例えば何らかの操作キーが押圧されると、暗証番号認証及びプロテクトモード解除処理手順ＲＴ２をステップＳＰ９において開始し、続くステップＳＰ１０において、不正入力フラグがＮＶＲＡＭ１３に記憶保持されているか否かを判断する。そしてＣＰＵ１０は、このステップＳＰ１０において肯定結果を得るとステップＳＰ１８に進み、これに対して否定結果を得るとステップＳＰ１１に進んで、暗証番号の入力回数を「０」回に戻し、暗証番号認証画面ＭＥ４を表示させる。
【０１５６】
続いてＣＰＵ１０は、この後ステップＳＰ１２に進んで、ユーザに暗証番号が入力され、終了ボタン３２が押されたか否かを判断する。そしてＣＰＵ１０は、このステップＳＰ１２において否定結果を得るとユーザに暗証番号が入力され、終了ボタン３２が押されるのを待ち受け、やがてこのステップＳＰ１２において肯定結果が得られるとステップＳＰ１３に進んで、入力された（照合する）暗証番号と登録された暗証番号とが一致するか否かを判断する。そしてＣＰＵ１０は、このステップＳＰ１３において否定結果を得るとステップＳＰ１５に進み、これに対して否定結果を得るとステップＳＰ１４に進んで、暗証番号ロックフラグを消去させ、暗証番号ロックモードを解除させた後、そのままステップＳＰ２３に進んでこの暗証番号認証及びプロテクトモード解除処理手順ＲＴ２を終了する。
【０１５７】
またＣＰＵ１０は、上述のステップＳＰ１３において肯定結果を得ると、ステップＳＰ１５に進んで、入力された（照合する）暗証番号と登録された暗証番号とが３回連続して一致しなかったか否かを判断する。そしてＣＰＵ１０は、このステップＳＰ１５において否定結果を得るとステップＳＰ１６に進み、暗証番号の入力回数をカウントアップし、この後ステップＳＰ１２〜ステップＳＰ１５について同様の処理を繰り返し、これに対して肯定結果を得るとステップＳＰ１７に進んで、不正入力フラグをＮＶＲＡＭ１３に記憶保持させて、プロテクトモードに切り替えた後、そのままステップＳＰ２３に進んでこの暗証番号認証処理及びプロテクトモード解除処理手順ＲＴ２を終了する。
【０１５８】
さらにＣＰＵ１０は、上述のステップＳＰ１０において否定結果を得ると、ステップＳＰ１８に進んで、パーソナルコンピュータ２に接続又は暗証番号を保存されたディスクがメディアドライブ部１５に装填されているか否かを判断する。そしてＣＰＵ１０は、このステップＳＰ１８において肯定結果を得るとステップＳＰ２０に進み、これに対して否定結果を得るとステップＳＰ１９に進んで、不正入力フラグを消去させず、プロテクトモードを解除せずにそのままステップＳＰ２３に進んでこの暗証番号認証処理及びプロテクトモード解除処理手順ＲＴ２を終了する。
【０１５９】
さらにＣＰＵ１０は、上述のステップＳＰ１８において肯定結果を得ると、ステップＳＰ２０に進んで、パーソナルコンピュータ２及び又はディスク３に保存された暗証番号を取得する。
【０１６０】
続いてＣＰＵ１０は、この後ステップＳＰ２１に進んで、パーソナルコンピュータ２及び又はディスク３に保存された暗証番号と登録された暗証番号とが一致するか否かを判断する。そしてＣＰＵ１０は、このステップＳＰ２６において否定結果を得るとステップＳＰ２２に進み、これに対して否定結果を得るとステップＳＰ１９に進んで、不正入力フラグを消去させず、プロテクトモードを解除しなかった後、そのままステップＳＰ２３に進んでこの暗証番号認証処理及びプロテクトモード解除処理手順ＲＴ２を終了する。
【０１６１】
さらにＣＰＵ１０は、上述のステップＳＰ１８において肯定結果を得ると、ステップＳＰ２０に進んで、不正入力フラグを消去して、プロテクトモードを解除し、暗証番号を消去した後、そのままステップＳＰ２３に進んでこの暗証番号認証処理及びプロテクトモード解除処理手順ＲＴ２を終了する。
【０１６２】
（６）本実施の形態による動作及び効果
以上の構成において、この記録再生装置１では、ＮＶＲＡＭ１３に不正入力フラグが記憶保持されたプロテクトモード時、パーソナルコンピュータ２又はディスク３に保存された暗証番号と登録された暗証番号とを照合し、認証したときにプロテクトモードを解除すると共に、パーソナルコンピュータ２又はディスク３に保存された暗証番号と登録された暗証番号とを消去する。
【０１６３】
従って、この記録再生装置１では、正規ユーザが暗証番号を忘れた場合にも、再度記録再生装置１の使用が禁止されるのを有効に防止することができる。
【０１６４】
以上の構成によれば、ＮＶＲＡＭ１３に不正入力フラグが記憶保持されたプロテクトモード時、予めパーソナルコンピュータ２又はディスク３に保存された暗証番号と登録された暗証番号とを照合し、認証したときにプロテクトモードを解除すると共に、パーソナルコンピュータ２又はディスク３に保存された暗証番号と登録された暗証番号とを消去することにより、正規ユーザが暗証番号を忘れた場合にも、再度記録再生装置１の使用が禁止されるのを有効に防止することができ、かくして正規ユーザが容易に使用の禁止を解除させることができる。
【０１６５】
（７）他の実施の形態
なお上述の実施の形態においては、本発明を現行ＭＤと、上述した第１及び第２の次世代ＭＤとに対応した記録再生装置に適用するようにした場合について述べたが、本発明はこれに限らず、これ以外の種々の記録媒体に対応した記録再生装置に広く適用することができる。
【０１６６】
また上述の実施の形態においては、ＰＣ保存暗証番号データ又はディスク保存暗証番号データと登録暗証番号データとが一致した場合には、これらＰＣ保存暗証番号データ又はディスク保存暗証番号データと登録暗証番号データとを消去した場合について述べたが、本発明はこれに限らず、例えばカメラ／表示ブロック８の表示部等に暗証番号を表示させるようにしても良く、要はＰＣ保存暗証番号データ又はディスク保存暗証番号データと登録暗証番号データとが一致した場合には、暗証番号をユーザに認識させるようにすれば良い。
【０１６７】
さらに上述の実施の形態においては、暗証番号によって登録及び認証処理を行った場合について述べたが、本発明はこれに限らず、カメラの撮像に基づく認証や、指紋、血管認証等の暗証番号以外の種々の暗証情報を用いるようにしても良く、また例えばこれら暗証情報と機器固有の番号等を組み合わせた鍵情報を暗証情報とするようにしても良く、この種々の暗証情報に適用することができる。
【０１６８】
さらに上述の実施の形態においては、操作部４を操作することにより暗証番号を登録した場合について述べたが、本発明はこれに限らず、例えばパーソナルコンピュータ等において所定の操作することにより登録した暗証番号をこの記録再生装置に転送することにより暗証番号を登録するようにしても良く、この他種々の外部機器から暗証番号を登録するよう場合においても適用することができる。
【０１６９】
さらに上述の実施の形態においては、登録暗証番号データと照合暗証番号データとが例えば３回連続して一致しないときに、プロテクトモードに遷移した場合について述べたが、本発明はこれに限らず、登録暗証番号データと照合暗証番号データとが規定数回一致しなかったときにプロテクトモードに遷移するようにしても良い。
【０１７０】
さらに上述の実施の形態においては、登録された暗証番号とパーソナルコンピュータ２及びディスク３に分割して保存された暗証番号を合成した暗証番号とが認証したときに、プロテクトモードを解除した場合について述べたが、本発明はこれに限らず、登録された暗証番号とパーソナルコンピュータ２及びディスク３に分割して保存された暗証番号とをそれぞれ照合して、この結果一致した場合にプロテクトモードを解除するようにしても良い。
【０１７１】
さらに上述の実施の形態においては、例えばメニューキーを押圧する操作を行うことによって、登録する暗証番号を決定した場合について述べたが、本発明はこれに限らず、どの操作キーを用いて決定等の処理を行うようにしても良い。
【０１７２】
さらに上述の実施の形態においては、暗証番号ロックモードを例えば動作モードを暗証番号による認証以外の操作を禁止する場合について述べたが、本発明はこれに限らず、例えば所定の処理のみを禁止するようにしても良い。
【０１７３】
さらに上述の実施の形態においては、プロテクトモードを例えば暗証番号の認証を含むすべての操作を禁止する場合について述べたが、本発明はこれに限らず、例えば種々の起動を中止するようにしても良く、第三者による操作を禁止するこの他種々のプロテクトモードに遷移させることができる。
【０１７４】
さらに上述の実施の形態においては、ＮＶＲＡＭ１３に記憶保持された登録暗号化暗証番号データを分割し、分割暗号化暗証番号データをパーソナルコンピュータ２及びディスク３に保存した場合について述べたが、本発明はこれに限らず、この他種々の外部記録媒体に適用することができ、また２以上の外部記録媒体に適用することができる。
【０１７５】
さらに上述の実施の形態においては、ＮＶＲＡＭ１３に記憶保持された登録暗号化暗証番号データをパーソナルコンピュータ２又はディスク３に保存した場合について述べたが、本発明はこれに限らず、例えばこれら暗証情報と機器固有の番号等を組み合わせた鍵情報等の暗証情報をパーソナルコンピュータ２又はディスク３に保存するようにしても良い。
【０１７６】
さらに上述の実施の形態においては、暗証番号をパーソナルコンピュータ２又はディスク３に保存した場合について述べたが、本発明はこれに限らず、例えば光ディスク、光磁気ディスク、半導体メモリ、磁気ディスク等のこの他種々の外部記録媒体に適用することができる。
【０１７７】
さらに上述の実施の形態においては、暗証番号をＮＶＲＡＭ１３に記憶保持した場合について述べたが、本発明はこれに限らず、フラッシュメモリ等この他種々の不揮発性のメモリや、例えば光ディスク、光磁気ディスク、半導体メモリ、磁気ディスク等のこの他種々の外部記録媒体に適用することができる。
【０１７８】
さらに上述の実施の形態においては、音声のみのオーディオデータについて適用して場合について述べたが、本発明はこれに限らず、例えばディスク３が次世代ディスクである場合には、このディスク３に対しオーディオデータに対応づけて画像データが記憶されることが想定されており、その場合カメラ／表示ブロック８の表示部は、このようなオーディオデータの再生時等において、ＣＰＵ１０の制御のもとに、オーディオデータに基づく音声の出力に合わせて対応づけられた画像データに基づく画像を表示させることができる。
【０１７９】
さらに上述の実施の形態においては、ＡＴＲＡＣ圧縮／伸張部２３においてＡＴＲＡＣ圧縮エンコード処理又はＡＴＲＡＣ伸張デコード処理を行った場合について述べたが、本発明はこれに限らず、例えばＭＰ３などの他のフォーマットによる圧縮／伸張処理により記録再生可能な構成をとっても良く、その場合これらのフォーマットに対応したエンコーダ／デコーダを設ければよい。また、もちろんのこと、本実施の形態の記録再生装置１としては、例えばオーディオデータだけでなく、ビデオデータを記録再生可能な構成をとっても良い。この場合、ビデオデータに関しては特に記録再生可能なフォーマットの限定は行わないが、例えばＭＰＥＧ（Moving Pictures Experts Group）４などが考えられる。そして、その場合このようなフォーマットに対応したエンコーダ／デコーダを設ければよいこととなる。
【０１８０】
さらに上述の実施の形態においては、ＵＳＢインターフェース１６を介してパーソナルコンピュータ２と接続した場合について述べたが、本発明はこれに限らず、例えばＩＥＥＥ（Institute of Electrical and Electronic Engineers）１３９４等の他の外部インターフェースを用いるようにしても良い。
【０１８１】
さらに上述の実施の形態においては、この記録再生装置１の本体部９に操作部４を設けた場合について述べたが、本発明はこれに限らず、さらに操作部４としては、例えばリモートコントローラ上に上述したものと同様の操作子を設けるようにしても良い。
【産業上の利用可能性】
【０１８２】
本発明は、光磁気ディスクにデータを記録再生する記録再生装置の他、種々の可搬型の装置に適用することができる。
【図面の簡単な説明】
【０１８３】
【図１】本実施の形態による記録再生装置の構成を示す略線図である。
【図２】第１の次世代ＭＤのディスクの構成及びデータフォーマットを示す平面図及び概念図である。
【図３】第２の次世代ＭＤのディスクの構成及びデータフォーマットを示す平面図及び概念図である。
【図４】メニュー画面の表示状態の説明に供する概念図である。
【図５】メニュー画面の表示状態の説明に供する概念図である。
【図６】暗証番号登録画面の表示状態の説明に供する概念図である。
【図７】暗証番号登録認証の表示状態の説明に供する概念図である。
【図８】暗証番号登録処理手順の説明に供するフローチャートである。
【図９】暗証番号認証及びプロテクトモード解除処理手順の説明に供するフローチャートである。
【符号の説明】
【０１８４】
１……記録再生装置、２……パーソナルコンピュータ、３……ディスク、４……操作部、１０……ＣＰＵ、１１……ＲＯＭ、１２……ＲＡＭ、１３……ＮＶＲＡＭ、１５……メディアドライブ部、２３……ＡＴＲＡＣ圧縮／伸張部、２６……第２の暗号化／復号化部、ＲＴ１……暗証番号登録処理手順、ＲＴ２……暗証番号認証及びプロテクトモード解除処理手順。
【図１】
2006065894.tif 000003
【図２】
2006065894.tif 000004
【図３】
2006065894.tif 000005
【図４】
2006065894.tif 000006
【図５】
2006065894.tif 000007
【図６】
2006065894.tif 000008
【図７】
2006065894.tif 000009
【図８】
2006065894.tif 000010
【図９】
2006065894.tif 000011